(57)【要約】【課題】フローリング板の収縮等によって敷居材とフローリング板との突き付け部が開くのを防げ、しかも、フローリングフロアーの他の部分が開くこともなく、敷居材を損傷させることもなく、見苦しさもない、敷居の構造を提供する。【解決手段】敷居材１を挟む一方がフローリング３で、敷居材１は、フローリング側の部材４と、反フローリング側の部材５とに分割され、フローリング側の部材４がフローリング板８と一体化され、反フローリング側の部材５が下方の下地９と一体化され、フローリング側の部材４と反フローリング側の部材５との境界ライン６が障子溝７内に備えられている。障子溝７内に敷居スベリ１４が備えられているとよい。また、フローリング側の部材４と、反フローリング側の部材５とが所定のあいじゃくり状態に組まれているとよい。【選択図】      図１
2008303592.tif 000002
【特許請求の範囲】
【請求項１】
敷居材を挟む一方がフローリングである敷居の構造であって、
前記敷居材が、フローリング側の部材と、反フローリング側の部材とに分割され、フローリング側の部材がフローリング板と一体化されると共に、反フローリング側の部材が下方の下地と一体化され、フローリング側の部材と反フローリング側の部材との境界ラインが障子溝内に備えられていることを特徴とする敷居の構造。
【請求項２】
障子溝に敷居スベリが設けられ、該敷居スベリで、前記境界ラインが隠されている請求項１に記載の敷居の構造。
【請求項３】
前記フローリング側の部材と、反フローリング側の部材とが、反フローリング側の部材の凸をフローリング側の部材の凸の上に位置させたあいじゃくり状態に組まれている請求項１又は２に記載の敷居の構造。
【発明の詳細な説明】
【技術分野】
【０００１】
本発明は、敷居の構造に関する。
【背景技術】
【０００２】
図３（イ）に示すように、敷居材５１は、普通、下方の下地５２に釘やビス等の接合具５３と接着剤５４で固定一体化され、敷居材５１を挟む一方がフローリングである場合は、フローリング板５５は、敷居材５１に対して一体化されることなく、突き付け状態となるように施工されている。
【特許文献１】特開平１１−０９３５２８号公報
【発明の開示】
【発明が解決しようとする課題】
【０００３】
しかしながら、フローリングは、床暖房等による乾燥で収縮しやすく、収縮すると、図４（ロ）に示すように、敷居材５１とフローリング板５５との突き付け部分が開いてしまい、見苦しいという問題がある。また、敷居材５１も、これが木製である場合は、乾燥で収縮することがあり、同様の問題を生じることがある。
【０００４】
そこで、敷居材５１とフローリング板５５とを突き付け部において接着剤等により一体化することも考えられるが、その場合は、乾燥でフローリング板が収縮すると、フローリングフロアーの他の部分が開いたり、敷居材５１が割れるなどの問題を生じさせてしまう。
【０００５】
本発明は、上記のような問題点に鑑み、フローリング板の収縮等によって敷居材とフローリング板との突き付け部が開くのを防ぐことができ、しかも、フローリングフロアーの他の部分が開くこともなく、敷居材を損傷させることもなく、見苦しさも少ないあるいはない、敷居の構造を提供することを課題とする。
【課題を解決するための手段】
【０００６】
上記の課題は、敷居材を挟む一方がフローリングである敷居の構造であって、
前記敷居材が、フローリング側の部材と、反フローリング側の部材とに分割され、フローリング側の部材がフローリング板と一体化されると共に、反フローリング側の部材が下方の下地と一体化され、フローリング側の部材と反フローリング側の部材との境界ラインが障子溝内に備えられ、障子溝に敷居スベリが設けられ、該敷居スベリで、前記境界ラインが隠されていることを特徴とする敷居の構造によって解決される（第１発明）。
【０００７】
この構造では、フローリング側の部材がフローリング板と一体化されているので、フローリング板の収縮等によって敷居材とフローリング板との突き付け部が開いてしまうのを防ぐことができる。
【０００８】
しかも、敷居材は、フローリング側の部材と、反フローリング側の部材とに分割され、フローリング側の部材がフローリング板と一体化されると共に、反フローリング側の部材が下方の下地と一体化されているので、フローリング板が収縮等すると、フローリング側の部材と反フローリング側の部材との間が開くことによって、フローリングフロアーの他の部分が開くことや、敷居材の損傷が防がれる。
【０００９】
そして、フローリング側の部材と反フローリング側の部材との境界ラインは障子溝内に備えられているので、フローリング側の部材と反フローリング側の部材との間が開いても、その境界ラインは、溝による作用で、目立ちにくく、外観上の見苦しさを生じさせてしまうことも少ない。
【００１０】
第１発明において、障子溝に敷居スベリが設けられ、該敷居スベリで、前記境界ラインが隠されているとよい（第２発明）。この場合は、フローリング側の部材と反フローリング側の部材との間が開いても、その境界ラインは、敷居スベリによって隠され、外観上の見苦しさを生じさせてしまうことがない。
【００１１】
第１，第２発明において、前記フローリング側の部材と、反フローリング側の部材とが、反フローリング側の部材の凸をフローリング側の部材の凸の上に位置させたあいじゃくり状態に組まれているのもよい（第２発明）。
【００１２】
この場合は、施工において、また、フローリング板の収縮等によりフローリング側の部材が動いてフローリング側の部材と反フローリング側の部材との間が開いた場合であっても、敷居材におけるフローリング側の部材が浮いてしまうのを、反フローリング側の部材の凸がフローリング側の部材の凸を抑えて防いで、敷居材が分割構造であることを思わせないきれいな外観の敷居にすることができ、また、それを維持することができる。
【発明の効果】
【００１３】
本発明は、以上のとおりのものであるから、フローリング板の収縮等によって敷居材とフローリング板との突き付け部が開くのを防ぐことができ、しかも、フローリングフロアーの他の部分が開くこともなく、敷居材を損傷させることもなく、見苦しさも少ないあるいはない。
【発明を実施するための最良の形態】
【００１４】
次に、本発明の実施最良形態を図面に基づいて説明する。
【００１５】
図１（イ）に示す第１実施形態の敷居の構造は、敷居材１を挟む一方が畳２で、もう一方がフローリング３である場合のもので、敷居材１は、フローリング側の部材４と、反フローリング側、本実施形態では畳側の部材５との２つに分割されており、これらフローリング側の部材４と畳側の部材５とは、それらの境界ライン６が障子溝７内の幅方向の一側に備えられるように、また、畳側の部材５の凸５ａをフローリング側の部材４の凸４ａの上に位置させたあいじゃくり状態となるように、組まれて、敷居材１を構成するようになされている。なお、敷居材１は、木製のものからなっていてもよいし、乾燥による収縮等が問題とならない材質のものからなっていてもよい。
【００１６】
そして、フローリング側の部材４は、フローリング板８を突き付け状態にして接着剤１０にてフローリング板８と一体化されていると共に、下方の下地９に対してはすべり可能にされており、また、畳側の部材５は、下方の下地９に対して接着剤１０と釘、ビス等の接合具１１とによって固定一体化されている。なお、フローリング３側において、１２はパーティクルボードなどからなる下地、１３は捨貼り合板である。また、フローリング側の部材４の長手方向の両端部は、側枠に一体化されることなく幅方向にフリーとなるように施工しておくとよい。
【００１７】
また、敷居材１の各障子溝７内には、敷居スベリ１４が設けられ、該敷居スベリ１４で、前記境界ライン６が隠されている。なお、１５はレベル調整材である。
【００１８】
上記の構造では、図１（ロ）に示すように、フローリング板８が乾燥等によって収縮しても、フローリング板８と、敷居材１におけるフローリング側の部材４とは接合一体化されているので、敷居材１とフローリング板８との突き付け部が開いてしまうことはない。
【００１９】
また、敷居材１は、フローリング側の部材４と、畳側の部材５とに分割され、フローリング側の部材４がフローリング板８と一体化されると共に、畳側の部材５が下方の下地９と一体化されているので、フローリング板８が収縮しても、フローリング側の部材４と畳側の部材５との間が開くことによって、フローリングフロアー３の他の部分が開いてしまうこともないし、敷居材１が損傷してしまうこともない。
【００２０】
そして、フローリング側の部材４と畳側の部材５との境界ライン６は障子溝７内に備えられているので、フローリング側の部材４と畳側の部材５との間が開いても、その境界ライン６は、溝７による作用で、目立ちにくく、外観上の見苦しさを生じさせてしまうことも少ない。
【００２１】
特に、本実施形態では、障子溝７に敷居スベリ１４が設けられているので、フローリング側の部材４と畳側の部材５との間が開いても、その境界ライン６は、敷居スベリ１４によって隠され、外観上の見苦しさを生じさせてしまうことがない。
【００２２】
また、本実施形態では、敷居材１において、畳側の部材５とフローリング側の部材４とが、畳側の部材５の凸５ａをフローリング側の部材４の凸４ａの上に位置させたあいじゃくり状態となるように、組まれた構造となっているので、施工において、また、フローリング板８の収縮でフローリング側の部材４が動いてフローリング側の部材４と畳側の部材５との間が開いた場合であっても、フローリング側の部材４が浮いてしまうのを、畳側の部材５の凸５ａがフローリング側の部材４の凸４ａを抑えて防いで、敷居材１が分割構造であることを思わせないきれいな外観の敷居を実現、維持することができる。
【００２３】
図２に示す第２実施形態の敷居の構造は、敷居材１において、畳側の部材５とフローリング側の部材４の対向面部が、段無しの平坦面からなり、平坦面同士が突き合わせ状態に組み合わされるようになされていて、あいじゃくりが省略されたものである。その他は、第１実施形態と同様である。
【００２４】
以上に、本発明の実施形態を示したが、本発明はこれに限られるものではなく、発明思想を逸脱しない範囲で各種の変更が可能である。例えば、上記の実施形態では、敷居材１において、フローリング側の部材４と畳側の部材５との境界ライン６を、障子溝７内の幅方向の一側に備えさせた場合を示したが、該境界ラインは、障子溝７内の幅方向の中央部ないしは中間部に備えさせるようにしてもよい。
【００２５】
また、上記の実施形態では、敷居材１を挟む一方がフローリング３、もう一方が畳２である場合を示したが、敷居材を挟む両方がフローリングであってもよいし、その場合は、敷居材を、一方のフローリング側の部材と、もう一方のフローリング側の部材と、それらの間の中間部材とに分割して、敷居材を挟む両フローリング板の収縮により、それらの間の開きを防ぐようにしてもよい。その場合は、中間部材が、反フローリング側の部材となる。
【００２６】
また、上記の実施形態では、敷居材１において、フローリング側の部材４と反フローリング側の部材４との境界ライン６を、敷居スベリ１４で隠した構成としたが、そのような敷居スベリ１４を省略し、境界ライン６が障子溝７内において外に露出した構造に構成されていてもよい。
【図面の簡単な説明】
【００２７】
【図１】図（イ）は第１実施形態の敷居の構造を示す横断面図、図（ロ）はその作動状態を示す横断面図である。
【図２】図（イ）は第２実施形態の敷居の構造を示す横断面図、図（ロ）はその作動状態を示す横断面図である。
【図３】図（イ）は従来の敷居の構造を示す横断面図、図（ロ）はその作動状態を示す横断面図である。
【符号の説明】
【００２８】
１…敷居材
４…フローリング側の部材
４ａ…凸
５…畳側の部材（反フローリング側の部材）
５ａ…凸
６…境界ライン
７…障子溝
８…フローリング板
９…下方の下地
１０…接着剤
１１…釘、ビス（接合具）
１４…敷居スベリ
【図１】
2008303592.tif 000003
【図２】
2008303592.tif 000004
【図３】
2008303592.tif 000005